(57)【要約】【課題】例えばワンセグ放送番組などのマルチメディアデータを録画して再生する際、ユーザの嗜好に柔軟に対応した再生を行うことができるマルチメディアデータ記録装置及びマルチメディアデータ再生装置を提供する。【解決手段】デコードエラー情報をマルチメディアデータと関連づけて記録媒体１０４に記録する。これにより、例えばワンセグ放送番組などのマルチメディアデータを録画して再生する際、ユーザの嗜好に柔軟に対応した再生を行うことができる。【選択図】図１
2009152855.tif 000002
【特許請求の範囲】
【請求項１】
デジタルテレビ放送のトランスポートストリームを含むマルチメディアデータをメディアデータに分離・デコードし、デコードエラー情報を出力するエラー判定部と、
前記マルチメディアデータを記録媒体に記録するデータ記録部と、
前記デコードエラー情報を前記マルチメディアデータと関連づけて前記記録媒体に記録するエラー情報記録部と、
を備えたマルチメディアデータ記録装置。
【請求項２】
前記デコードするメディアデータはオーディオデータ及びビデオデータの少なくとも一方とし、前記デコードエラー情報はオーディオデータ及びビデオデータの少なくとも一方のエンコード単位でのデコードエラー有無情報とし、メディアデータの存在しない区間はデコードエラー有情報とする請求項１に記載のマルチメディアデータ記録装置。
【請求項３】
前記デコードエラー情報は、メディアデータのエンコード単位でのデコードエラー有無情報から、任意時間単位のエラー割合を算出し、複数段階でエラー割合のレベル分けを行い、記録開始からの時間とそのときのエラーレベルとの関係を示す情報とする請求項１又は請求項２に記載のマルチメディアデータ記録装置。
【請求項４】
記録媒体内に記録されたマルチメディアデータを読み出し、各メディアデータに分離・再生するデータ再生部と、
前記記録媒体内に記録されたデコードエラー情報から、再生中のマルチメディアデータのスキップ有無とスキップ先を判定し、その判定結果に応じて前記データ再生部をスキップ制御するスキップ判定部と、
を備えたマルチメディアデータ再生装置。
【請求項５】
請求項１乃至請求項３のいずれかに記載のマルチメディアデータ記録装置及び請求項４に記載のマルチメディアデータ再生装置の少なくとも一方を備えた電子機器。
【発明の詳細な説明】
【技術分野】
【０００１】
本発明は、マルチメディアデータ記録装置及びマルチメディアデータ再生装置に関し、特にデジタルテレビ放送やワンセグ放送のＴＳ（トランスポートストリーム）をハードディスクやＳＤカードなどの記録媒体に記録するマルチメディアデータ記録装置及び当該記録媒体に記録されたＴＳを再生するマルチメディアデータ再生装置に関する。
【背景技術】
【０００２】
近年、携帯電話をはじめとする携帯端末で、テレビを視聴することができるようになっている。また、ワンセグ放送が始まり、携帯端末においてもワンセグ放送を視聴し、受信したワンセグ放送を録画する機能も一般的になってきている。特に携帯端末では電波状況により放送を正確に受信できない可能性が高く、受信エラーに対応する種々の技術が提案されている。
【０００３】
特許文献１で開示された携帯端末の動作について図６を用いて説明する。携帯端末６において、まず、受信可否判定部６０１は、アンテナ・チューナ（図示せず）で受信した放送波ＴＳに対し、電波状況やＴＳパケット番号の不連続点チェックなどを行い、ＴＳパケット単位（データパケット単位）で受信状況を判定することで再生可不可区間情報を生成する。次に、受信可否判定部６０１は再生可不可区間情報を再生可不可区間記録部６０３に出力し、再生可付加区間記録部６０３は再生可不可区間情報を記録するとともに記録媒体６０４へチャプターなどとして記録する。また、受信可否判定部６０１はアンテナ・チューナで受信したＴＳデータをＴＳ記録部６０２に出力し、ＴＳ記録部６０２はＴＳデータを記録するとともに記録媒体６０４へ記録する。このように再生可不可区間情報をデータ（ＴＳ）パケット単位で記録することにより、再生不可区間をユーザに明示できる、という効果がある。
【０００４】
しかし、ワンセグ放送波では、図７に示すとおり、ＴＳパケット内に格納されるオーディオデータ（例えばＡＡＣ：オーディオエンコード方式のひとつ）がフレーム（エンコード単位）の途中で切れてしまう場合があり、ＴＳパケットとして正常に記録できていた場合であっても中身のデータは一部再生不可となり、必ずしも正確に再生不可区間をユーザに明示できない、といった課題を有している。例えば、図７において、ＴＳ  Ｐａｃｋｅｔ３が受信できなかった場合、ＴＳ  Ｐａｃｋｅｔ２の後半のＡＡＣ  ｆｒａｍｅが途中までのデータしか取得できていないため、正常にデコードすることができなくなってしまう。また、同様に、記録ができたか否かで（ＴＳパケットであるか否か）を判断してしまうと、シンクワード（パケットの先頭を示すデータ）は検出できたが中身のデータにエラーが存在する、また、エラーチェック機能（ＣＲＣなど）のある配信方法でエラーチェックＯＫとなったが、実際はエラーチェックでも判定できないエラーが存在する、という場合に、オーディオやビデオなどの実再生データにエラーが載ってしまう。
【０００５】
一方、特許文献２で開示された音声処理装置を録画装置に適用した場合の動作を図８を用いて説明する。音声処理装置８において、まず、エラー判定部８０１は、放送波ＴＳから、ＴＳ内のオーディオデータ（ＡＡＣ）に分離し、ＡＡＣデコード部８０５へ出力する。次に、ＡＡＣデコード部８０５は、ＴＳ内ＡＡＣデータをデコードするとともに、デコードした結果のエラー有無をエラー判定部８０１経由で記録開始停止判定部８０３に出力する。次に、記録開始停止判定部８０３は、デコードエラー量（エラー情報）に応じて、ＴＳデータを記録媒体８０４へ記録しているＴＳ記録部８０２に対して、録画の停止又は再開を制御する。
【０００６】
このように、実データのデコードエラー有無で録画の停止又は再開を判断しているため、ＴＳパケットが正常に受信できているときに、中身のデータが前述のように一部再生不可のような場合であっても録画停止と判断できる、という効果がある。従って、特許文献１の実データのエラー有無が分からないという課題は解決できる。
【０００７】
【特許文献１】特開２００７−２８０００号公報
【特許文献２】特開２００７−２２１２１１号公報
【発明の開示】
【発明が解決しようとする課題】
【０００８】
しかしながら、特許文献２で開示された音声処理装置では、デコードエラー量に応じて録画の停止又は再開を行っているため、一定のデコードエラー量となった部分はＴＳデータが受信できていても記録されないことになる。従って、このように録画時のエラー量閾値設定により、一定のデコードエラー量以上のＴＳパケットが削除されたしまう。このため、記録後の放送番組閲覧時に、一定のデコードエラー量以上の部分について、画質（見た目）が悪くても見たいといった、ユーザの嗜好に柔軟に対応して再生を行うことができないという課題がある。
【０００９】
本発明は、係る事情に鑑みてなされたものであり、例えばワンセグ放送番組などのマルチメディアデータを録画して再生する際、ユーザの嗜好に柔軟に対応した再生を行うことができるマルチメディアデータ記録装置及びマルチメディアデータ再生装置を提供することを目的とする。
【課題を解決するための手段】
【００１０】
本発明のマルチメディアデータ記録装置は、デジタルテレビ放送のトランスポートストリームを含むマルチメディアデータメディアデータに分離・デコードし、デコードエラー情報を出力するエラー判定部と、前記マルチメディアデータを記録媒体に記録するデータ記録部と、前記デコードエラー情報を前記マルチメディアデータと関連づけて前記記録媒体に記録するエラー情報記録部と、を備える。
【００１１】
この構成によれば、デコードエラー情報をマルチメディアデータと関連づけて記録媒体に記録するので、例えばワンセグ放送番組などのマルチメディアデータを録画して再生する際、ユーザの嗜好に柔軟に対応した再生を行うことができる。
【００１２】
また、上記構成において、前記デコードするメディアデータはオーディオデータ及びビデオデータの少なくとも一方とし、前記デコードエラー情報はオーディオデータ及びビデオデータの少なくとも一方のエンコード単位でのデコードエラー有無情報とし、メディアデータの存在しない区間はデコードエラー有情報とする。
【００１３】
この構成によれば、デコードするメディアデータはオーディオデータ及びビデオデータの少なくとも一方とし、デコードエラー情報はオーディオデータ及びビデオデータの少なくとも一方のエンコード単位でのデコードエラー有無情報とするので、例えばオーディオデータを再生することなくビデオデータのみを再生したり、ビデオデータを再生することなくオーディオデータのみを再生するといった、ユーザの嗜好に柔軟に対応した再生を行うことができる。
【００１４】
また、上記構成において、前記デコードエラー情報は、メディアデータのエンコード単位でのデコードエラー有無情報から、任意時間単位のエラー割合を算出し、複数段階でエラー割合のレベル分け行い、記録開始からの時間とそのときのエラーレベルとの関係を示す情報とする。
【００１５】
この構成によれば、デコードエラー情報は、メディアデータのエンコード単位でのデコードエラー有無情報から、任意時間単位のエラー割合を算出し、複数段階でエラー割合のレベル分け行い、記録開始からの時間とそのときのエラーレベルとの関係を示す情報とするので、よりユーザの嗜好に柔軟に対応した再生を行うことができる。
【００１６】
本発明のマルチメディアデータ再生装置は、記録媒体内に記録されたマルチメディアデータを読み出し、各メディアデータに分離・再生するデータ再生部と、前記記録媒体内に記録されたデコードエラー情報から、再生中のマルチメディアデータのスキップ有無とスキップ先を判定し、その判定結果に応じて前記データ再生部をスキップ制御するスキップ判定部と、を備える。
【００１７】
この構成によれば、記録媒体内に記録されたデコードエラー情報から、再生中のマルチメディアデータのスキップ有無とスキップ先を判定し、その判定結果に応じてデータ再生部をスキップ制御するので、例えばワンセグ放送番組などのマルチメディアデータを録画して再生する際、ユーザの嗜好に柔軟に対応した再生を行うことができる。
【００１８】
本発明の電子機器は、上記いずれかのマルチメディアデータ記録装置及び上記のマルチメディアデータ再生装置の少なくとも一方を備える。
【００１９】
この構成によれば、ＨＤＤ／ＳＤカードなどの記録媒体に、記録マルチメディアデータに対応するデコードエラー情報を記録するので、例えばワンセグ放送番組などのマルチメディアデータを録画して再生する際、ユーザの嗜好に柔軟に対応した再生を行うことができる。
【発明の効果】
【００２０】
本発明によれば、デコードエラー情報をマルチメディアデータと関連づけて記録媒体に記録するので、例えばワンセグ放送番組などのマルチメディアデータを録画して再生する際、ユーザの嗜好に柔軟に対応した再生を行うことができる。
【発明を実施するための最良の形態】
【００２１】
以下、本発明を実施するための好適な実施の形態について、図面を参照して詳細に説明する。
【００２２】
図１は、本発明の一実施の形態に係るマルチメディアデータ記録装置の概略構成を示すブロック図である。図１に示すとおり、本実施の形態に係るマルチメディアデータ記録装置１は、エラー判定部１０１、ＴＳ記録部１０２、エラー情報記録部１０３、記録媒体１０４及びＡＡＣデコード部１０５から構成されている。
【００２３】
エラー判定部１０１は、図示しないアンテナ・チューナによりにより受信した放送波（例えば、ワンセグ）をＴＳ内のオーディオデータ（ＡＡＣ）に分離し、ＡＡＣデコード部１０５へ出力する。また、エラー判定フ部１０１は、ＴＳデータをＴＳ記録部１０２へ記録するよう出力する。また、エラー判定部１０１は、ＡＡＣデコード部１０５からデコードした結果のエラー有無を示すエラー情報を受信し、エラー情報記録部１０３に出力する。ＴＳ記録部１０２は、エラー判定部１０１からのＴＳデータを記録するとともに、記録媒体１０４へ出力する。エラー情報記録部１０３は、エラー判定部１０１からのエラー情報を記録するとともに、例えば、図３に示すようなエラーレベル情報を記録媒体１０４へ出力する。記録媒体１０４は、例えば、カード型の外部記録媒体であり、ＴＳ記録部１０２から出力されたＴＳデータと、エラー情報記録部１０３から出力されたエラーレベル情報を相互に関連づけて記録する。ＡＡＣデコード部１０５は、ＴＳ内ＡＡＣデータをデコードするとともに、デコードした結果のエラー有無をエラー判定部１０１経由でエラー情報記録部１０３に出力する。
【００２４】
本実施の形態におけるマルチメディアデータ記録装置１の構成と、図８に示した音声処理装置８の構成とは、デコードエラー有無のエラー情報をエラー情報記録部１０３で記録して、例えば図３に示すようなエラーレベル情報として、記録媒体１０４へ記録している点が異なる。これにより、例えばワンセグ放送番組などのマルチメディアデータを録画して再生する際、ユーザの嗜好に柔軟に対応した再生を行うことができる。
【００２５】
図２は、本実施の形態におけるマルチメディアデータ記録装置１において、ＴＳデータを録画中にエラー情報記録部１０３がエラーレベル情報を作成する際の動作を示すフローチャートである。まず、エラー情報記録部１０３は、ＡＣＣデコード部１０５から出力された、ＡＡＣ  ｆｒａｍｅ単位（例えば、１０２４／４８０００秒単位）でのデコードエラー有無情報が入力されたか否かを判定する（ステップＳ２０１）。エラー情報記録部１０３は、ＡＡＣデコード部１０５からデコードエラー情報が入力された場合（ステップＳ２０１、ＹＥＳ）、一定時間（例えば、1秒）単位で、デコードエラー有の割合（以降、エラーレベルという）を算出する（ステップＳ２０２）。例えば、その割合が２０％以下ならエラーレベル１、２０％超４０％以下ならエラーレベル２、４０％超ならエラーレベル３などと定義する（図３参照）。
【００２６】
一方、エラー情報記録部１０３は、ＡＡＣデコード部１０５からデコードエラー有無情報が入力されなかった場合（ステップＳ２０１、ＮＯ）、何も処理せず、再び、デコードエラー有無情報が入力されたか否かをポーリングすることで監視する。次に、エラー情報記録部１０３は、算出したエラーレベルが前回記録媒体１０４に記録したエラーレベルと一致するか否かを判定する（ステップＳ２０３）。
【００２７】
エラー情報記録部１０３は、算出したエラーレベルが前回記録媒体１０４に記録したエラーレベルと一致した場合、再び、デコードエラー有無情報が入力されたか否かをポーリングすることで監視する。
【００２８】
一方、エラー情報記録部１０３は、算出したエラーレベルが前回記録媒体１０４に記録したエラーレベルと一致しなかった場合、エラーレベル情報として、エラーレベル値とそのレベルが連続する時間区間（例えば、開始時間と終了時間）を作成し、録画中のＴＳデータに関連する情報として記録媒体１０４へ記録する（ステップＳ２０４）。なお、アンテナ・チューナーがＴＳパケットを受信できない場合、ＡＣＣデコード部１０５は、ＡＡＣデータをデコードすることができないが、その間はデコードエラー有と判定する。
【００２９】
以上のように、本実施の形態におけるマルチメディアデータ記録装置１でマルチメディアデータとともにエラーレベル情報を記録しておくことで、再生する場合に以下のような再生制御が可能となる。
【００３０】
図４は、本実施の形態におけるマルチメディアデータ再生装置の概略構成を示すブロック図である。図４に示すとおり、本実施の形態におけるマルチメディアデータ再生装置４は、記録媒体１０４、ＴＳ再生部４０１、スキップ判定部４０２、表示部４０３及び鳴動部４０４から構成されている。
【００３１】
記録媒体１０４は、例えば、カード型の外部記録媒体であり、ＴＳ記録部１０２から出力されたＴＳデータと、エラー情報記録部１０３から出力されたエラーレベル情報が相互に関連づけて記録されている（図１参照）。ＴＳ再生部４０１は、記録媒体１０４からのＴＳデータを読み出して分離し、ビデオデータを表示部４０３へ出力し、オーディオデータを鳴動部４０４へ出力する。スキップ判定部４０２は、記録媒体１０４から読み出したエラーレベル情報と、予めユーザ等により設定されたエラーレベルとに基づき、ＴＳ再生部４０１に対してスキップ制御を行う。表示部４０３は、液晶ディスプレイ等から構成されており、ＴＳ再生部４０１からのビデオデータを映像として表示する。鳴動部４０４は、スピーカ等から構成されており、ＴＳ再生部４０１からのオーディオデータを音声として再生する。
【００３２】
図５は、本実施の形態のマルチメディアデータ再生装置４において、オーディオノイズが完全にない部分のみを視聴したい場合のスキップ判定部４０２の動作を示すフローチャートである。なお、記録媒体１０４には、例えば図３に示すようなエラーレベル情報が記録されているものとして説明する。
【００３３】
まず、スキップ判定部４０２は、ユーザが“ノイズのない部分のみ視聴したい”という要望のもとに設定した再生不可エラーレベル（レベル１以上）を記録する（ステップＳ５０１）。次に、ＴＳ再生部４０１が、記録媒体１０４からＴＳデータを読み出し、ビデオデータとオーディオデータに分離し、同期をとりながら、表示部４０３、鳴動部４０４へそれぞれ出力して再生を開始した場合、スキップ判定部４０２は、記録媒体１０４からエラーレベル情報を読み出す。次に、スキップ判定部４０２は、再生中の時間を定期的にチェックし、再生時間が更新されているか否かを判定する（ステップＳ５０２）。スキップ判定部４０２は、再生中の時間を定期的にチェックし、再生時間が更新されていない場合（ステップＳ５０２、ＮＯ）、再び、再生時間が更新されているか否かをポーリングすることで監視する。
【００３４】
一方、スキップ判定部４０２は、再生時間が更新されている場合（ステップＳ５０２、ＹＥＳ）、再生時間（例えば、１０：２０：０２）が、エラーレベル情報に含まれるエラーレベル（レベル１）と再生不可エラーレベル（レベル１以上：レベル１、２、３）とが一致するときの再生開始時間（１０：２０：０１）を越えたか否かを判定する（ステップＳ５０３）。次に、スキップ判定部４０２は、再生時間がエラーレベル情報に含まれるエラーレベルと再生不可エラーレベルとが一致するときの再生開始時間を越えないと判断した場合（ステップＳ５０３、ＮＯ）、再び、再生時間が更新されたか否かをポーリングすることで監視する。
【００３５】
一方、スキップ判定部４０２は、再生時間が、エラーレベル情報に含まれるエラーレベルと再生不可エラーレベルとが一致するときの再生開始時間を越えたと判断した場合（ステップＳ５０３、ＹＥＳ）、エラーレベル情報に基づいて、次の再生可能区間の開始時間（例えば、１０：２０：３１）の位置へのジャンプ（シーク）制御をＴＳ再生部４０１に対して行う。その後も同様に、スキップ判定部４０２は、再生時間が１０：２５：０４を越えると１０：２５：３３までジャンプ制御をＴＳ再生部４０１に対して行うことで、オーディオが正常に記録できている部分のみを自動で再生できる。
【００３６】
なお、上記実施の形態では、ユーザが“ノイズのない部分のみ視聴したい”という要望のもとに設定した再生不可エラーレベル（レベル１以上）によって再生する手順について説明したが、同様の制御で以下のような再生制御も可能となる。なお、記録媒体１０４には図３に示すようなエラーレベル情報が記録されているものとして説明する。
【００３７】
例えば、ユーザが“多少のノイズ（レベル２）であれば録画されている部分を視聴したい”という要望のもとに再生不可エラーレベル（レベル２以上）を設定すると、スキップ判定部４０２は、再生時間が１０：２０：１５を越えた場合、１０：２０：２２までジャンプ、さらに１０：２５：１１を越えた場合、１０：２５：２９までジャンプ、とＴＳ再生部４０１を制御することで、４０％以下のデコードエラーのある部分のみを自動で再生できる。
【産業上の利用可能性】
【００３８】
本発明は、例えばワンセグ放送番組などのマルチメディアデータを録画して再生する際、ユーザの嗜好に柔軟に対応した再生を行うことができるといった効果を有し、ＤＶＤ／ＨＤＤレコーダなどの録画再生装置、特にワンセグ放送視聴録画機能を有する携帯端末などのマルチメディアデータを扱う電子機器への適用が可能である。
【図面の簡単な説明】
【００３９】
【図１】本発明の一実施の形態におけるマルチメディアデータ記録装置の概略構成を示すブロック図
【図２】上記実施の形態におけるマルチメディアデータ記録装置の動作手順を示すフローチャート
【図３】上記実施の形態における記録媒体に記録されたエラーレベル情報の内容を示す図
【図４】上記実施の形態におけるマルチメディアデータ再生装置の概略構成を示すブロック図
【図５】上記実施の形態におけるマルチメディアデータ再生装置の動作手順を示すフローチャート
【図６】従来例である携帯端末の概略構成を示すブロック図
【図７】ワンセグ放送時のオーディオ（ＡＡＣ）データとＴＳパケット内への格納イメージを示す図
【図８】従来例である音声処理装置の概略構成を示すブロック図
【符号の説明】
【００４０】
１  マルチメディアデータ記録装置
４  マルチメディアデータ再生装置
１０１  エラー判定部
１０２  ＴＳ記録部
１０３  エラー情報記録部
１０４  記録媒体
１０５  ＡＡＣデコード部
４０１  ＴＳ再生部
４０２  スキップ判定部
４０３  表示部
４０４  鳴動部
【図１】
2009152855.tif 000003
【図２】
2009152855.tif 000004
【図３】
2009152855.tif 000005
【図４】
2009152855.tif 000006
【図５】
2009152855.tif 000007
【図６】
2009152855.tif 000008
【図７】
2009152855.tif 000009
【図８】
2009152855.tif 000010